(57)【要約】      （修正有）【課題】まな板を台所の調理台の上に浮かせて衛生的に保持し、種々の幅のまな板を一種のそれで支持可能であり、まな板を確実に保持できるまな板用受け台を提供する。【解決手段】一対の端部受け台１、１と、それらの貫通孔１ｈ、１ｈに貫通させた一本の連結軸２とからなる支分受け台を二組作成し、その二組の支分受け台を組み合わせてなる。端部受け台１は上面をまな板ｍの幅方向の端部を載置する水平座部１ｓに構成した載置座部材１ｓｍと、その外端側に立ち上げたまな板ｍの前後の端部立面ｍｆを抑える抑え板１ｐとで構成する。端部受け台１、１…は硬質のゴム材で作成する。貫通孔１ｈは断面正方形に開口させる。連結軸２は断面が正方形の長尺棒状金属部材であり、一対の端部受け台１、１のうちの一方の貫通孔１ｈにその端部近傍を貫通させて固定する。連結軸２は他方の端部受け台１の貫通孔１ｈにはスライド移動可能に貫通させる。【選択図】図５
0003181270.tif 000002
【実用新案登録請求の範囲】
【請求項１】
一対の端部受け台と、該一対の端部受け台をその間隔を拡縮自在に結合すべく該各端部受け台に開口した貫通孔に貫通させた連結軸とからなる支分受け台を二組組み合わせてなるまな板用受け台であって、
前記各支分受け台の各端部受け台を、上面をまな板の前後端部を載置する水平座部に構成した載置座部材と、該載置座部材の一端部から立ち上げたまな板の前後端の端部立面を抑える抑え板とで構成し、前記貫通孔を前記載置座部材にその水平座部と平行にかつ抑え板を有する端部から有しない端部方向に開口してなるまな板用受け台。
【請求項２】
前記連結軸として、その長さ方向に直交する断面が四辺形である長尺部材を採用し、かつ該連結軸を各組の一方の端部受け台の貫通孔には一端近傍を貫通させた状態で固定し、他方の端部受け台の貫通孔にはその途中をスライド移動可能に貫通させた請求項１のまな板用受け台。
【請求項３】
前記端部受け台を硬質のゴム材で構成した請求項１又は２のまな板用受け台。
【考案の詳細な説明】
【技術分野】
【０００１】
本考案は、まな板を調理台から浮かせて衛生的に使用することができるようにするまな板用受け台に関する。
【背景技術】
【０００２】
特許文献１は、まな板台に関するもので、これは、まな板の長手方向端部を支持する支持部材と、該支持部材自体の長手方向両端部近傍にこれを支持すべくこれに直交方向に向けて配して該支持部材を鉛直方向に固定する固定台とを備えた、一対のまな板台本体からなり、前記支持部材をその長手方向に沿って伸縮可能に構成したまな板台である。
【０００３】
この特許文献１のまな板台によれば、種々の幅のまな板を、その両端近傍に配した一対のまな板台本体の適切な長さに調節した支持部材上に載せて良好に使用することができる。すなわち、支持部材を僅かにまな板の幅より長く調節してその上に載せることとすることにより、支持部材を安定して支持可能であり、かつ該支持部材が両側に突出し過ぎないため邪魔になることも無く、さらには短すぎないため、まな板の使用中にガタつくようなおそれもない。種々の利点があることは認められる。
【０００４】
しかしこの特許文献１のまな板台は、まな板をその両端付近に配した支持部材の上に載せるだけなので、調理中にまな板が支持部材の上で動いてしまう虞もあり、またまな板台それ自体も、各まな板台本体が使用中に相互の位置関係が固定されていないので、何らかの事情で動いてしまう虞もある。従ってこの特許文献１のまな板台の支持部材上に載っているまな板は、そのような際に、該支持部材上から脱落する虞があり、まな板上では調理のために包丁等の刃物を使用する関係上、怪我をする虞があるような危険性を有するものであると云わざるを得ない。
【０００５】
特許文献２はまな板用支持装置に関するもので、これは、水平部と該水平部から略垂直に上方へ延びる衝立部とを有し、前記水平部の上面及び下面に板状のゴム状弾性体を固着した一対の支持台からなり、該一対の支持台を、前記水平部の上面のゴム状弾性体を前記衝立部より内側にして相対向させて配置し、まな板を、その両端部を各々前記相対向する支持台における水平部上面のゴム状弾性体の上に載置して、支持するように構成したまな板用支持装置である。
【０００６】
この特許文献２のまな板用支持装置によれば、まな板を、その両端下に支持台を配して支持することができることは確かである。また水平部の上下にゴム状弾性体を配してあるので、該水平部の上に載せたまな板の端部は容易にずれたりしない利点を得ることができるし、該支持台そのものも簡単には調理台から動かないであろうと推測できる。
【０００７】
しかしこの特許文献２のまな板用支持装置では、支持台の長さが固定されているので、その長さに適合する幅を有するまな板の支持には適当であるが、その長さを越える幅のまな板や、その長さより一定程度以上短い幅のまな板の支持には適しない。幅を必要以上に越える長さの支持台は使用中に邪魔になる虞があり、短い支持台では安定して支持できない問題もある。さらには、両側の支持台が使用中に位置関係を固定できるものではないので、それぞれの水平部の下面にゴム状弾性体が配してあるとしても、完全に滑らないようにできるものではないので、まな板又はまな板支持装置の各支持台に何らかの外力が加わった場合に個別に移動してしまい、確実なまな板の支持ができなくなる虞もある。特許文献１のまな板台と同様な危険性があると云わざるを得ない。
【先行技術文献】
【特許文献】
【０００８】
【特許文献１】特開平１０−０９４４９１号公報
【特許文献２】特開２００６−０２６１１３号公報
【考案の概要】
【考案が解決しようとする課題】
【０００９】
本考案は、まな板を台所の調理台の上に浮かせて支持することにより、これを衛生的に保持し得るまな板用受け台であって、種々の幅のまな板を一種のそれで自在に支持することが可能であり、かつまな板を確実に保持して、該まな板がその上から脱落するようなおそれのないまな板用受け台を提供することを解決の課題とする。
【課題を解決するための手段】
【００１０】
本考案の１は、一対の端部受け台と、該一対の端部受け台をその間隔を拡縮自在に結合すべく該各端部受け台に開口した貫通孔に貫通させた連結軸とからなる支分受け台を二組組み合わせてなるまな板用受け台であって、
前記各支分受け台の各端部受け台を、上面をまな板の前後端部を載置する水平座部に構成した載置座部材と、該載置座部材の一端部から立ち上げたまな板の前後端の端部立面を抑える抑え板とで構成し、前記貫通孔を前記載置座部材にその水平座部と平行にかつ抑え板を有する端部から有しない端部方向に開口してなるまな板用受け台である。
【００１１】
本発明の２は、本発明の１のまな板用受け台において、
前記連結軸として、その長さ方向に直交する断面が四辺形である長尺部材を採用し、かつ該連結軸を各組の一方の端部受け台の貫通孔には一端近傍を貫通させた状態で固定し、他方の端部受け台の貫通孔にはその途中をスライド移動可能に貫通させたものである。
【００１２】
本発明の３は、本発明の１又は２のまな板用受け台において、
前記端部受け台を硬質のゴム材で構成したものである。
【考案の効果】
【００１３】
本考案の１のまな板用受け台によれば、まな板を、その前後両端を二組の支分受け台の両側の端部受け台の水平座部上に載せることで、調理台上に若干の隙間を空けて配置することが可能であり、そうすることにより、該まな板の下面が該調理台上に接しないので、衛生的に使用できることになる。
【００１４】
また二組の支分受け台の両側の端部受け台は、相互の間隔を拡縮すべく、前記連結軸上を移動させることができる。それ故、種々の長さのまな板に対応してそれを受けて、以上のように、衛生的に使用することができる。またこのように、両側の端部受け台の間隔を拡縮できるので、適切にその間隔を調整することで、両側の抑え板によりまな板をその前後端で挟持状態に保持することができる。従って、まな板をこのまな板用受け台から容易に脱落することのないように挟持保持することが可能であり、極めて安定した支持状態を確保することができる。
【００１５】
本発明の２のまな板用受け台によれば、各組の支分受け台の両端の端部受け台のうちの一方を連結軸に固定状態に配し、他方を連結軸上を移動自在に構成したため、一方の端部受け台のみを移動調整すれば良いこととなる。そのためより操作が簡単になったものである。また、前記のように、まな板をその前後端で抑え板により挟持状態に保持する際に、少なくとも一方の端部受け台は動くことがあり得ないので、より確実な挟持保持が確保できることになる。
【００１６】
本発明の３のまな板用受け台によれば、各組の支分受け台の端部受け台を硬質のゴム材で構成したため、まな板で調理作業をする際に、該まな板に若干強い力が加わっても容易に変形しない。それ故、まな板が傾くような問題を回避することができる。また、端部受け台が適度の摩擦力を備えているため、調理台上を容易に動いてしまうような問題を回避することができる。まな板を安全に使用できることになるものである。
【図面の簡単な説明】
【００１７】
【図１】一実施例のまな板用受け台の側面図。
【図２】一実施例のまな板用受け台の正面図。
【図３】一実施例のまな板用受け台の平面図。
【図４】(a)は図１のＡ−Ａ線断面図（連結軸を省略）、(b)は図２のＢ−Ｂ線断面図（連結軸を省略）。
【図５】まな板を載置した一実施例のまな板用受け台の側面図。
【図６】まな板を載置した一実施例のまな板用受け台の正面図。
【図７】まな板を載置した一実施例のまな板用受け台の平面図。
【考案を実施するための形態】
【００１８】
本考案の実施の形態を、図面を参照しつつ一実施例に基づいて詳細に説明する。
この実施例のまな板用受け台は、図１〜図３に示すように、一対の端部受け台１、１と、該一対の端部受け台１、１をそれらの貫通孔１ｈ、１ｈに貫通させて結合した一本の連結軸２とからなる支分受け台３を作成し、その二組を組み合わせて構成したものである。
【００１９】
前記端部受け台１は、図１〜図７に示すように、上面をまな板ｍの前後の端部を載置する水平座部１ｓに構成した載置座部材１ｓｍと、該載置座部材１ｓｍの外端側に立ち上げたまな板ｍの端部立面ｍｆを抑える抑え板１ｐとで構成したものであり、硬質のゴム材で作成したものである。該端部受け台１を構成する硬質のゴム材は、摩擦係数が大きく、台所の調理台上に配置した場合に、若干の横方向の力が加わっても容易に滑りが生じないそれを採用する。また硬質で、容易に変形を生じないそれを採用する。
【００２０】
また該端部受け台１に開口する貫通孔１ｈは、特に図４(a)、(b)に示すように、その載置座部材１ｓｍの中心付近に、その水平座部１ｓと平行に、かつ内外方向（抑え板１ｐ側と該抑え板１ｐと反対側の水平座部１ｓの端部の方向（抑え板１ｐ側が外側、これと反対側の水平座部１ｓの端部側が内側））に向けて開口したものである。この貫通孔１ｈは、特に図２、図４(a)及び図６に示すように、その長さ方向に直交する断面が正方形になるように構成したものであり、挿入してある前記連結軸２を若干強く引いたり押したりすれば、その内部をスライド貫通させることが可能な寸法としてある。もっとも、後述するように、一対の端部受け台１、１のうちの一方の貫通孔１ｈには、該連結軸２の端部近傍を貫通した状態で固定する。この固定は、この実施例では、接着剤によって行ったものである。
【００２１】
前記連結軸２としては、図２及び図６に示すように、その長さ方向に直交する断面が正方形である長尺棒状金属部材を採用したものである。この実施例では、金属部材としては、ステンレススチールを採用した。ステンレススチールに代えて防錆めっき又は塗装を施した適当な金属棒を採用することも可能である。また、前記のように、この連結軸２は、一対の端部受け台１、１のうちの一方の貫通孔１ｈ、図１、図３、図５及び図７中では左側の端部受け台１の貫通孔１ｈにその端部近傍を貫通状態にして固定する。前記のように、この実施例では、接着剤を用いて固定したものである。なお、該連結軸２は、他方の端部受け台１の貫通孔１ｈには、図１及び図３に矢印で示すように、スライド移動可能に貫通させてあるものである。もっとも、他方の端部受け台１であっても、該連結軸２上を簡単に移動するのは好ましくないので、若干強い力で移動させようとしなければ動かない程度にその貫通嵌合状態を設定しておく。
【００２２】
従ってこの実施例のまな板用受け台によれば、図５及び図７に示すように、まな板ｍを、二組の支分受け台３、３の両側の端部受け台１、１の水平座部１ｓ、１ｓ上にその前後両端（幅方向両端）を載せることで、調理台上に若干の隙間を空けて配置することが可能であり、その下面が該調理台上に接しないので、衛生的に使用できることになる。
【００２３】
初めに二組の支分受け台３、３の端部受け台１、１の間隔を調整する。図１及び図３に矢印で示すように、両側の端部受け台１、１のうちの可動側のそれ（同図中右側のそれ）を動かして二つの端部受け台１、１の抑え板１ｐ、１ｐの内面間の間隔を対象のまな板ｍの前後両端（幅方向両端）の端部立面ｍｆ、ｍｆ間の間隔を僅かに越える程度に調整する。次いで、該まな板ｍの前後両端を、該二組の支分受け台３、３における端部受け台１、１の水平座部１ｓ、１ｓ上に載せる。この後、図中手前側である可動側の端部受け台１の位置の微調整を行い、図５及び図７に示すように、両側の端部受け台１、１の抑え板１ｐ、１ｐで該まな板ｍの前後両端（幅方向両端）をしっかりと抱えるようにする。このとき、予め二つの支分受け台３、３の間隔は、図６及び図７に示す程度に、まな板ｍの長さとバランス良く定めておく。
【００２４】
こうしてこの実施例のまな板用受け台によれば、まな板ｍの前後両端（幅方向両端）を単に端部受け台１、１の水平座部１ｓ、１ｓ上に載置するのみで無く、その抑え板１ｐ、１ｐでしっかりと挟持状態にすることもできるので、このまな板用受け台でのまな板ｍの受け状態は確実なものになり、調理中に若干の外力がかかってもここから脱落するような虞はない。また端部受け台１、１…を摩擦係数の大きなゴム材で形成したため、調理台上で、これらが動いてしまうような問題も生じない。また端部受け台１、１…を硬質のゴム材で構成したため、調理中にまな板ｍに若干強い力が加わっても容易に変形しないため、常時、まな板ｍをほぼ水平状態の安定した姿勢に保持することができる。従って調理を安全に行うことができる。
【００２５】
さらには、一対の端部受け台１、１を連結軸２で連結し、かつ該連結軸１、１としてその長さ方向に直交する断面が正方形のそれを採用し、当然、正方形断面の貫通孔１ｈ、１ｈに貫通させることとしたため、端部受け台１、１が該連結軸２を中心に回転してしまうような問題も生じない。まな板ｍを保持させる際に、回転方向の調整をするような必要も無いし、他方、まな板ｍを安定して確実に保持できるため、安全な調理作業を行うこともできる。
【００２６】
また、前記したように、端部受け台１、１の間隔が調整可能であるため、種々の幅のまな板ｍに自在に対応することが可能であり、まな板のサイズ毎に複数のまな板用受け台を用意するような必要も無い。
【産業上の利用可能性】
【００２７】
本考案のまな板用受け台は、台所用品の製造分野で有効に利用できるし、台所用品の販売分野でも利用できる。
【符号の説明】
【００２８】
１    端部受け台
１ｈ  貫通孔
１ｐ  端部受け台の抑え板
１ｓ  端部受け台の水平座部
１ｓｍ  載置座部材
２    連結軸
３    支分受け台
ｍ    まな板
ｍｆ  まな板の端部立面
【図１】
0003181270.tif 000003
【図２】
0003181270.tif 000004
【図３】
0003181270.tif 000005
【図４】
0003181270.tif 000006
【図５】
0003181270.tif 000007
【図６】
0003181270.tif 000008
【図７】
0003181270.tif 000009